(57)【要約】【課題】補強板を備えた親指袋に強度があり力の伝達性の良好な野球用グラブの調整を簡単に行う。【解決手段】野球用グラブ１の親指袋２内に、親指の付根側と先端側に分離した補強板３ａ、３ｂを部分的に重合して設け、親指袋全体の強度と親指の力の伝達性を向上させた野球用グラブに於いて、付根側および先端側の両補強板に、先端１０ａがグラブの外部へ延びる紐１０を挿通し、該紐を引き締め或いは緩めることにより両補強板の連結状態を調整自在とする。【選択図】図２
2004113259.tif 000002
【特許請求の範囲】
【請求項１】
野球用グラブの親指袋内に、親指の付根側と先端側に分離した補強板を部分的に重合して設け、親指袋全体の強度と親指の力の伝達性を向上させた野球用グラブに於いて、付根側および先端側の両補強板に、先端がグラブの外部へ延びる紐を挿通し、該紐を引き締め或いは緩めることにより両補強板の連結状態を調整自在とすることを特徴とする野球用グラブ。
【請求項２】
上記親指袋の親指の背側に、上記先端側の補強板と付根側の補強板を順次に設け、各補強板をグラブの皮革に夫々取り付けたことを特徴とする請求項１に記載の野球用グラブ。
【請求項３】
上記各補強板の複数箇所に挿通孔を設けて各挿通孔に上記紐を挿通したことを特徴とする請求項１に記載の野球用グラブ。
【請求項４】
上記補強板を硬質の合成樹脂にて形成し、その先端側の補強板に段部を形成してその段部よりも下方を付根側の補強板に重合したことを特徴とする請求項１に記載の野球用グラブ。
【請求項５】
野球用グラブの小指袋内にも小指の付根側と先端側に分離した小指補強板を部分的に重合して設け、該小指補強板の付根側および先端側の両補強板に、先端がグラブの外部へ延びる紐を挿通し、該紐を引き締め或いは緩めることにより両補強板の連結状態を調整自在とすることを特徴とする請求項１に記載の野球用グラブ。
【発明の詳細な説明】
【０００１】
【発明の属する技術分野】
本発明は、野球用グラブに関する。
【０００２】
【従来の技術】
出願人は、先に、野球用グラブとして、親指を挿入する親指袋を内皮と外皮の二重構造に構成し、親指の背側の位置の内皮と外皮の間に該親指袋の長さ方向に延びる長手の合成樹脂製等の補強板を設けることで、親指袋の強度と親指の力の伝達性を向上させたものを提案した（特許第２８６３８２４号公報）。グラブには捕球時の衝撃を緩和するために、親指袋の表側の内外表皮の間にはフェルト芯が介在されており、このフェルト芯のほかに補強板を設けると、親指袋が曲がり難くなる不都合が生じるので、この提案のグラブでは該補強板を長さ方向に分割してこの不都合を解消している。
【０００３】
【発明が解決しようとする課題】
一般に、内野手は手のひらを広げて捕球し、外野手は手のひらをすぼめて捕球するので、プレーヤーはその守備位置に適するようにグラブを日頃から調整している。そのため、例えば急に外野から内野に守備位置が変更された場合、調整の適していないグラブを使用して守備しなければならず、思わぬエラーの原因になることがある。また、新品のグラブは、時間をかけて自分の守備位置に適するように調整を施す必要があり、なじみの浅いグラブを使用するときは不安が伴う。
【０００４】
なお、内野手の場合は手のひらを広げて捕球するので、親指と小指は離れた状態に位置し且つ小指が主導する捕球動作を行いやすいように調整し、外野手の場合は、親指と小指が接近した状態で親指が主導した捕球動作を行いやすいように調整される。
【０００５】
本発明は、補強板を備えて親指袋に強度があり力の伝達性の良好な野球用グラブの調整を簡単に行うことを目的とするものである。
【０００６】
【課題を解決するための手段】
本発明では、上記目的を達成するため、野球用グラブの親指袋内に、親指の付根側と先端側に分離した補強板を部分的に重合して設け、親指袋全体の強度と親指の力の伝達性を向上させた野球用グラブに於いて、付根側および先端側の両補強板に、先端がグラブの外部へ延びる紐を挿通し、該紐を引き締め或いは緩めることにより両補強板の連結状態を調整自在とした。該親指袋の親指の背側に、該先端側の補強板と付根側の補強板を順次に設け、各補強板をグラブの皮革に夫々取り付けする構成とし、各補強板の複数箇所に挿通孔を設けて各挿通孔に紐を挿通する構成としてもよい。該補強板を硬質の合成樹脂にて形成し、その先端側の補強板に段部を形成してその段部よりも下方を付根側の補強板に重合させることで、補強板から親指へ伝わる衝撃が緩和される。野球用グラブの小指袋内にも小指の付根側と先端側に分離した小指補強板を部分的に重合して設け、該小指補強板に先端がグラブの外部へ延びる紐を挿通し、該紐を引き締め或いは緩めることにより両補強板の連結状態を調整自在とすると、小指袋の調整も良好となし得る。
【０００７】
【発明の実施の形態】
図面に基づき本発明の実施の形態を説明すると、図１に於いて、符号１は野球用グラブを示し、その親指袋２の内部に硬質の合成樹脂製の補強板３が内装される。該補強板３の詳細は図２乃至図５に示した如くであり、半円弧状に湾曲した付根側の補強板３ａと靴ベラ状の先端側の補強板３ｂとに分離した構成を有し、該先端側の補強板３ｂの下方に形成した段差４の下方の部分１３に、付根側の補強板３ａが重合される。該段差４の下方の部分１３は、切り欠き１４を設けて幅を減少させ、付根側の補強板３ａの湾曲率にほぼ等しい曲面に形成した。
【０００８】
該親指袋２の内部には、図６及び図７に明示したように、手の親指５が挿入される内袋６を備えており、親指５の腹側の親指袋２と内袋６の間には緩衝用のフェルト芯７が介入され、親指５の背側の親指袋２と内袋６の間に補強板３ａ、３ｂが図２に示したような重合状態、すなわち、親指寄りに先端側の補強板３ｂを設けその外側に付根側の補強板３ａを重合した状態で介入される。付根側の補強板３ａは、その側方の上下２箇所に形成した取付け穴８、８に革紐９を挿通させて親指袋２に固定され、先端側の補強板３ｂはその輪郭形状に合わせたミシン縫いを親指袋２に施して遊動を防止した。
【０００９】
こうした構成は先に提案した野球用グラブと大きな変わりがないが、本発明のものでは、この種のグラブの調整を簡単化するため、各補強板３ａ、３ｂに先端１０ａがグラブ１の外部へ延びる紐１０を挿通した。この紐１０を引き締め或いは緩めることで、両補強板３ａ、３ｂの連結状態を強固或いは緩やかにする調整が速やかに行え、例えば守備位置の変更に応じてグラブ１を直ちに調整できる。図示の例では各補強板３ａ、３ｂの重合部分の２箇所に挿通孔１１、１１を設け、２本の紐１０を各補強板に挿通してその調整を行うようにした。また、各紐１０の後端１０ｂを親指袋２に固定し、図示の場合は手の甲側のグラブ表皮であって親指と人指し指の中間の位置に後端１０ｂを固定した。符号１２は内袋６の内部に設けた親指５を掛けるための革製フックを示す。
【００１０】
図示のものに於いて、各紐１０の先端を引き締めた上にノットを作ってその状態を維持するように調整すると、両補強板３ａ、３ｂは比較的強固に一体化し、そのため親指５の動きは親指袋２の全体に伝達されるようになる。また、親指袋２の先端は、通常は皮革やフェルトなどの弾力性のために人指し指の袋から離れる方向へ位置してグラブ捕球面が開きがちになるが、紐１０を引き締めることで親指袋２の先端は人指し指の袋に接近し、グラブ捕球面が狭く閉じがちの外野型になり、親指を動作して捕球する外野守備に適した調整になる。
【００１１】
一方、各紐１０が緩んだ状態に維持されるよう調整すると、両補強板３ａ、３ｂは互いにルーズな連結状態になり、先端側の補強板３ｂは皮革などの弾力性により人指し指の袋から離れるようになり、グラブ捕球面が大きく開き、そのため小指主導による捕球動作を行う内野守備に適した調整になる。そして、これらの調整は、日頃のグラブの手入れによらず、即座に行える。
【００１２】
図８の例は、野球用グラブ１の小指袋１５内にも小指の付根側と先端側に分離した小指補強板１６を部分的に重合して設け、該小指補強板の付根側の補強板１６ａおよび先端側の補強板１６ｂに、先端１７ａがグラブの外部へ延びる紐１７を挿通し、該紐を引き締め或いは緩めることにより両補強板の連結状態を調整自在とするようにしたもので、親指袋２の場合と同様に、引き締めたときは小指の動きが小指袋１５の全体に伝わり、上記外野型の操作に適した調整になる。該紐１７の後端１７ｂは小指袋１５に固定される。
【００１３】
【発明の効果】
以上のように、本発明のものは、親指袋内に、付根側の補強板と先端側の補強板を設けて親指袋全体の強度と親指の力の伝達性を向上させた野球用グラブに於いて、付根側および先端側の両補強板に、先端がグラブの外部へ延びる紐を挿通してこれを引き締め或いは緩めることにより両補強板の連結状態を調整自在としたので、守備位置の変更に応じて簡単且つ迅速に親指袋の調整を行え、守備位置変更による守備の不安から開放されて野球をエンジョイすることができる等の効果があり、請求項２以下の構成とすることでより適切に本発明の目的を達成できる効果がある。
【図面の簡単な説明】
【図１】本発明の実施の形態を示す全体斜視図
【図２】補強板の斜視図
【図３】図２の３−３線部分の断面図
【図４】図２の４−４線部分の断面図
【図５】図２の５−５線部分の断面図
【図６】図１の６−６線部分の断面図
【図７】図６の７−７線部分の断面図
【図８】本発明の他の実施例の全体斜視図
【符号の説明】
１　野球用グラブ、２　親指袋、３・３ａ・３ｂ　補強板、４　段差、５　親指、６　内袋、１０　紐、１０ａ　先端、１０ｂ　後端、１１　挿通孔、１３　下方の部分、１４　切り欠き、１５　小指袋、１６・１６ａ・１６ｂ　小指補強板、１７　紐、１７ａ　先端、１７ｂ　後端、
【図１】
2004113259.tif 000003
【図２】
2004113259.tif 000004
【図３】
2004113259.tif 000005
【図４】
2004113259.tif 000006
【図５】
2004113259.tif 000007
【図６】
2004113259.tif 000008
【図７】
2004113259.tif 000009
【図８】
2004113259.tif 000010